(57)【要約】      （修正有）【課題】皮膚のたるみ量をより簡便な方法で三次元的に評価可能な技術を提供する。【解決手段】水平位皮膚表面画像と垂直位皮膚表面画像を重ねることで、皮膚のたるみ量を測定する方法において、測定点から任意の距離を隔てたた外周に、皮膚の形状変化に伴って変形可能な囲み部を設けるステップを含む皮膚たるみ量の測定方法を用いることでこれを解決した。【効果】本発明の測定方法は、測定部位の凹凸を反映し、簡易かつ精度良く、皮膚のたるみ量を測定することができ、皮膚の物性状態や変化との関係性を判定することもでき、化粧料等の効果を評価することができる。【選択図】図１０
2020157013.tif 000002
【特許請求の範囲】
【請求項１】
水平位皮膚表面画像と垂直位皮膚表面画像を重ねることで、皮膚のたるみ量を測定する方法において、
測定点から任意の距離を隔てた外周に、皮膚の形状変化に伴って変形可能な囲み部を設けるステップ
を含む皮膚たるみ量の測定方法。
【請求項２】
皮膚のたるみ量を測定する方法において
（１） 被験者の皮膚に基準点を設けるステップ
（２） 基準点とは異なる点を測定点とするステップ
（３） 測定点から任意の距離を隔てた外周に、皮膚の形状変化に伴って変形可能な囲み部を設けるステップ
（４） 被験者を仰臥位にした姿勢で少なくとも基準点、測定点を含む状態で、水平位の皮膚表面を撮像するステップ
（５） 被験者を座位又は立位にした姿勢で、少なくとも基準点、測定点を含む状態で、垂直位の皮膚表面を撮像するステップ
（６） ステップ（４）、（５）で得られた画像から次の少なくとも１つを測定するステップ
（ａ−１）変位距離
（ａ−２）変位方向
（ａ−３）変位角
（ａ−４）方位角
（ａ−５）長短比
（ａ−６）面積
を含む皮膚たるみ量の測定方法。
【請求項３】
前記ステップ（６）において、前記ステップ（４）、前記ステップ（５）で得られた画像から、次の少なくとも１つを測定し、垂直位で得られた値と、水平位で得られた値との変化量を得るステップを含む請求項２記載の測定方法。
（ａ−４）方位角
（ａ−５）長短比
（ａ−６）面積
【請求項４】
請求項２又は３記載の方法で皮膚のたるみ量を測定し、得られた結果からたるみの原因を判定する方法。
【請求項５】
請求項２又は３記載の方法で皮膚のたるみ量を測定し、得られた結果からたるみの原因を判定し、原因に対応する商品及び／又はサービスを提供する方法。
【請求項６】
請求項１乃至３記載の方法に用いられる装置
【発明の詳細な説明】
【技術分野】
【０００１】
本発明は、皮膚たるみ量の測定方法に関する。
【背景技術】
【０００２】
皮膚のたるみは、多くの人の関心の高い肌の老化現象のひとつである。顔面のたるみの原因は、年齢や真皮のコラーゲン量、皮膚の弾力性や皮下脂肪厚など皮膚の物性の増減が起因しているといわれている。例えば、たるみと弾力性、たるみと皮下脂肪との関係は明らかとなっている（非特許文献１、２）が、それら皮膚物性の変化が実際の皮膚表面において、それぞれどのような変化をもたらすのかは知られていない。
【０００３】
皮膚のたるみを改善する方法として、エステティックやマッサージなどの美容施術、補正下着に代表される物理的方法や、医薬品、化粧品、サプリメントなどによる化学的方法、またこれを組み合わせた方法が試みられている。
【０００４】
それらの改善効果を確かめるにあたっては、これまで様々な方法が利用されており、例えば、美容施術前後の皮下脂肪厚や皮下血流量を計測する方法（特許文献１）や、コラーゲンの強度を動的粘弾性試験などにより評価する方法（特許文献２）が知られている。
しかしながら、たるみを目視によるスコア化して評価する方法では、たるみの微差を捉えることができず、またほうれい線などの変化が目立つ部分以外の評価が困難である。また、これらの方法では、顔面がたるんでいるという現象は確認できるが、そのたるみが何に起因しているかを明確にするまでには至らない。
【０００５】
一方で、画像などを用いた評価方法として、顔の基準点及び測定点にマーキングを施し、水平位と垂直位顔写真を撮影し、基準点からのマークの移動距離を皮膚の垂直軸方向成分の相対距離値に演算することで皮膚のたるみ量を算出する方法（特許文献３）が知られている。
しかしながら、把握されるたるみ量は、測定点における垂直方向への変化に留まり、測定点を含む周囲の多方向への変化を把握するものではない。
【０００６】
これに対し、目盛り付きシールを測定客体として、測定点に貼り付け撮影、解析することより、たるむ方向を把握する試みがされている（特許文献４）が、年齢や体格との関係や、たるむ方向の意義や、皮膚の状態や変化との関係については述べられていない。
【０００７】
皮膚のたるみと衝撃波の伝搬時間との相関関係に基づき皮膚のたるみ度合いを推定する方法が知られている（特許文献５）。しかしながら、たるみ度合いを計測するには、衝撃波伝搬測定装置が必要であり、決して簡便な方法とは言えないし、たるみと衝撃波以外との関係は不明である。
【０００８】
測定対象の表面を直接的に測定する方法としては、サンプリングモアレカメラ等を用いて、三次元的に垂直位の顔を撮影し、解析する方法（以下、モアレ法）や、３Ｄスキャナを用いて評価する方法が知られている。しかしながら、モアレ法はサンプリングモアレカメラによる正確な撮影のため、準暗室にて頭部の固定化等被験者のストレスが強く、簡便さに欠けたり、スポット的な解析には好ましくない。また、３Ｄスキャナを用いる方法では、局所のたるみ全体を把握するのは適しているが、検出限界が大きく、スポット的な測定には適していない。
【０００９】
このように、たるみ量を把握する方法は種々提案されているが、いずれの方法によっても、たるみの程度は把握できるものの、皮膚表面上の変化を皮膚の物性変化と関連づけて、簡便に確認する測定方法は存在していない現状にある。
【先行技術文献】
【非特許文献】
【００１０】
【非特許文献１】Ｔｏｍｏｎｏｂｕ  Ｅｚｕｒｅ，Ｓａｇｇｉｎｇ  ｏｆ  ｔｈｅ  ｃｈｅｅｋ  ｉｓ  ｒｅｌａｔｅｄ  ｔｏ  ｓｋｉｎ  ｅｌａｓｔｉｃｉｔｙ，ｆａｔ  ｍａｓｓ  ａｎｄ  ｍｉｍｅｔｉｃ  ｍｕｓｃｌｅ  ｆｕｎｃｔｉｏｎ：Ｓｋｉｎ  Ｒｅｓ  Ｔｅｃｈｎｏｌ．，Ａｕｇ；１５（３）：２９９−３０５，２００９
【非特許文献２】Ｔｏｍｏｎｏｂｕ  Ｅｚｕｒｅ，Ｉｎｖｏｌｖｅｍｅｎｔ  ｏｆ  ｕｐｐｅｒ  ｃｈｅｅｋ  ｓａｇｇｉｎｇ  ｉｎ  ｎａｓｏｌａｂｉａｌ  ｆｏｌｄ  ｆｏｒｍａｔｉｏｎ．：Ｓｋｉｎ  Ｒｅｓ．  Ｔｅｃｈｎｏｌ．，１８：２５９−２６４，２０１２．
【特許文献】
【００１１】
【特許文献１】特開２０１０−５１７１７号公報
【特許文献２】特開平１０−９５７１３号公報
【特許文献３】特開平１０−４３１４１号公報
【特許文献４】特開２０１４−４１０５号公報
【特許文献５】特開２０１１−１５８６２号公報
【発明の概要】
【発明が解決しようとする課題】
【００１２】
本発明は、皮膚のたるみ量をより簡便な方法で三次元的に評価可能な技術を提供することを課題とする。
【課題を解決するための手段】
【００１３】
本発明者は、たるみを直接的に測定したり、微差を捉えることが容易ではなく、また測定部位に制約があり、被験者への負荷が大きかった従来技術での問題点を改良すべく、鋭意研究した。検討の結果、水平位、垂直位の二姿勢の画像を重ね合わせて解析することで皮膚のたるみ度を評価する方法において、測定点に加えて、測定点の周囲に、皮膚の形状の変化に伴って変形可能なマーキングを施したところ、測定点の移動（変位距離）以外に、測定点の移動する方向（変位方向）、測定点の周囲の皮膚の動きが、被験者によって大きく異なることを発見した。そこでこの違いを把握すべく、各種分析を行ったところ、水平位、垂直位の二姿勢の画像を重ね合わせた際に得られる測定点の変位距離、測定点の変位前後位置を結ぶ線と変位後の点を通る水平線とがなす角度（変位角）、及びマーキングの形状変化等を解析することで、より簡便かつ直接的に皮膚のたるみ量等を測定することが可能になることを見出した。
すなわち、本発明は、
〔１〕第１発明としては、
水平位皮膚表面画像と垂直位皮膚表面画像を重ねることで、皮膚のたるみ量を測定する方法において、
測定点から任意の距離を隔てた外周に、皮膚の形状変化に伴って変形可能な囲み部を設けるステップ
を含む皮膚たるみ量の測定方法である。
〔２〕第２発明としては、
皮膚のたるみ量を測定する方法において
（１）   被験者の皮膚に基準点を設けるステップ
（２）   基準点とは異なる点を測定点とするステップ
（３）   測定点から任意の距離を隔てた外周に、皮膚の形状変化に伴って変形可能な囲み部を設けるステップ
（４）   被験者を仰臥位で、少なくとも基準点、測定点を含む状態で、水平位の皮膚表面を撮像するステップ
（５）   被験者を座位又は立位で、少なくとも基準点、測定点を含む状態で、垂直位の皮膚表面を撮像するステップ
（６）   ステップ（４）、（５）で得られた画像から次の少なくとも１つを測定するステップ
（ａ−１）変位距離
（ａ−２）変位方向
（ａ−３）変位角
（ａ−４）方位角
（ａ−５）長短比
（ａ−６）面積
を含む皮膚たるみ量の測定方法である。
〔３〕第３発明としては、
前記ステップ（６）において、前記ステップ（４）、前記ステップ（５）で得られた画像から、次の少なくとも１つを測定し、垂直位で得られた値と、水平位で得られた値との変化量を得るステップを含む第２発明に記載の測定方法である。
（ａ−４）方位角
（ａ−５）長短比
（ａ−６）面積
〔４〕第４発明としては
第２発明又は第３発明に記載の方法で皮膚のたるみ量を測定し、得られた結果からたるみの原因を判定する方法である。
〔５〕第５発明としては、
第２発明又は第３発明記載の方法で皮膚のたるみ量を測定し、得られた結果からたるみの原因を判定し、原因に対応する商品及び／又はサービスを提供する方法である。
〔６〕発明としては、
第１発明乃至第３発明に記載の方法に用いられる装置
である。
【発明の効果】
【００１４】
本発明の測定方法は、測定部位の凹凸を反映し、簡易かつ精度良く、皮膚のたるみ量を測定することができ、皮膚の物性変化との関係性を判定することもでき、化粧料等の効果を評価することができる。
例えば、美容施術の効果を確認したり、化粧品の長期使用における効果を評価したり、化粧品をどの部位に集中的に使用することで、より高い効果が得られるかなど、ユーザーに対する美容情報の提供に応用することも可能となる。
【００１５】
さらに本発明の測定方法は、顔面全体をはじめ、目尻、まぶた、頬等の顔面の一部、二の腕、太ももなどの手足、胸部、腹部、臀部など、全身の皮膚を測定対象とすることができる。また、たるみに対する効果を評価する対象物としても、医薬品、医薬部外品、化粧品などの皮膚外用組成物に限らず、マッサージ、エステティックなどの美容施術や、たるみ解消を目的とした美容機器、サプリメント、下着など、たるみの評価を必要とする対象物全般に使用することができる。当然、人のみではなく、動物にも適用できる。
また、副次的効果として、たるみ量から皮膚内部状態を予測し、被験者に適した化粧品等の提供や、カウンセリングツールとして用いることが考えられる。
【図面の簡単な説明】
【００１６】
【図１】測定点、囲み部、基準点、スケールの設定例
【図２】変位方向の説明図
【図３】変位角の説明図
【図４】方位角の説明図
【図５】年齢と変位距離との関係
【図６】全身皮下脂肪率と変位距離との関係
【図７】変位角と角層水分量との関係
【図８】変位角とＲ７（弾力性）との関係
【図９】年齢と方位角変化率の関係
【図１０】角層水分量と方位角変化率との関係
【図１１】コラーゲン密度と方位角変化率との関係
【図１２】全身皮下脂肪率と長短比変化率との関係
【図１３】コラーゲン密度と長短比変化率との関係
【図１４】角層面積と長短比変化率との関係
【図１５】年齢と長短比変化率との関係
【図１６】全身皮下脂肪率と面積変化率との関係
【発明を実施するための形態】
【００１７】
本発明は、水平位と垂直位にて任意の測定点を含む部分を撮像し、得られた各像を重ね合わせ、測定点、及び／又は囲み部の位置、形態的変化を計測、評価することにより、たるみ量の計測、たるみの評価、たるみ改善度の評価、たるみ改善方法の提供、皮膚や身体の状態や変化等体内変化を推測し、判定する方法等を提供するものである。
【００１８】
本発明の基準点は、測定する部位の水平位、垂直位の変化を評価するにあたり、各位で得た像を適切に重ねる趣旨で設けるものである。従って、必ずしも基準点をマーキングする必要はなく、例えば、既にあるホクロや眉毛等を基準点とすることも差し支えない。基準点としてマーキングする場合は、姿勢を変化させた際に最も移動の少ない部位であることが好ましく、例えば、顔面部の皮膚のたるみ量を測定する場合の基準点としては、眉上、眉間、鼻根、鼻尖、人中、オトガイ、唇溝、目尻などが好ましい。胸部であれば、鎖骨、喉頭隆起（喉仏）、腹部であれば肋骨、臀部であれば、尾骨、仙骨等の外部から認識される点を基準点とすることができる。
基準点は、少なくとも1点あれば十分であるが、２点以上設けるとより正確にたるみを把握することができるので好ましい。
必須ではないが、スケールを撮像レンズ部と平行になるように設置すると、画像処理上での距離、面積計算が正確に行えるため、好ましい。顔面を評価する場合であれば、例えば額中央部に設けることができる。
【００１９】
本発明における測定点は、１ヶ所、２ヶ所以上、目的に応じて適宜設定できる。例えば、化粧品などの評価において、顔全体に塗布した場合、どの部位に特に効果が高いかを確認したい場合は、任意の部位に複数測定点を設け、各測定点におけるたるみ量の変化を比較する等して評価することができる。
測定点のマーキング方法については、顔面を測定する場合は、例えば、被験者を座位にし、顕著にたるみが発生すると考えられる目尻から垂直下方向、口角から水平外側方向の交点に、ペンなどで直接、あるいは小円形のカラーラベルなどのシールとすることができる。
【００２０】
本発明における囲み部は、測定点を含む一定の領域における変化を把握する目的で設ける。そのため、一定の領域の皮膚の動きを妨げないよう囲み部は皮膚の動きに伴って変形可能であれば良い。例えば、ペン等で直接、あるいはインクなどでスタンプする方法が挙げられる。皮膚の動きに伴って変形するのであれば、伸縮可能な素材のシール等も使用できる。囲み部を変形可能に設けることにより、皮膚の伸びやゆがみ等、立体的な変化を把握することができる。
【００２１】
囲み部の位置は、測定点の周囲を囲むように設ければよく、円、楕円、その他の形状等であってもよいが、円、楕円であると皮膚の微妙な変化を捉えることができるのでより好ましい。この場合において、完全に閉鎖状態で囲む必要はなく、破線、点線でもよく、一部開口している状態であっても、皮膚の動きに伴って変化が把握できれば問題ない。また、囲み部の中心に測定点がある必要はないが、変化の把握の容易さから、測定点を中心として略円形にインクなどでスタンプをすることが好ましい。
【００２２】
撮像方法は、特に限定されない。例えば、デジタルカメラ、銀塩カメラ、インスタントカメラ等を用いることができる。アナログ画像を得た後で任意の機器に取り込みデジタル変換したものを用いても構わない。
【００２３】
水平位皮膚表面画像と垂直位皮膚表面画像の入手方法は特に限定されない。例えば、被験者をベット等に仰向けにさせた状態（仰臥位）で、撮像して水平位皮膚表面画像とし、被験者を椅子等に座らせた状態（座位）、あるいは壁際等に立たせた状態（立位）で撮像して垂直位皮膚表面画像とすることができる。
【００２４】
撮像順は特に限定されないが、水平位、垂直位皮膚表面画像をそれぞれ撮像し、後から基準点を重ね合わせても良いし、画像を重ね合わすことのできるアプリケーション等を用いて、水平位又は垂直位皮膚表面画像の一方を撮像した後、得られた像の基準点を合わせるようにして他方位画像を撮像しても良い。
【００２５】
撮像は、少なくとも１つの基準点と測定点が含まれるように行う。囲み部は必ずしも全体が撮像される必要はない。囲み部の一部が像に含まれてない場合であっても、たるみを測定、評価することは可能である。像中に含まれる囲み部の形状や面積などの変化を把握できるからである。
【００２６】
撮像における測定点と撮像レンズの位置は、特に限定されない。例えば、顔を測定する場合、後頭部が接する面に対してカメラレンズを平行に、かつ一定の距離となるように固定した場合は、この同条件下で、水平位、垂直位の撮像を行うことができる。測定前後において条件が一定であればよく、必ずしも頭が接する面に対してカメラレンズを平行にする必要はない。
【００２７】
たるみ量の計測は、水平位、垂直位の皮膚表面画像を得た後に基準点を重ね合わせ、測定点や囲み部の変化をトレーシングペーパー等に写した後で測定しても良いし、像を重ねて撮影することのできるアプリケーション等を使用して撮像した後、そのまま公知の画像解析装置等を用いて測定しても良い。
【００２８】
たるみの原因は、 被験者の任意の皮膚のたるみ量を本願方法で測定し、後述する皮膚の物性状態や変化との相関関係情報を用いて判定することができる。
例えば、予め任意の複数人のたるみ量と皮膚の物性を測定し、それらの関係性をデータベースとし、被験者のたるみ量を当該データベースと照合し、当該被験者のたるみの原因を判定することが挙げられる。加えて、当該判定結果をもとに、たるみの原因に対応する皮膚外用剤又は経口投与剤の提供が可能になる。
【００２９】
以下、各パラメータについて説明する。
測定点の「変位距離」とは、上述の方法で得た垂直位皮膚表面画像と水平位皮膚表面画像を、基準点等を目安に重ね合わせ、水平位皮膚表面画像の測定点を始点とし、垂直位皮膚表面画像の測定点を終点とした際の両点間の距離を意味する。「変位距離」により、たるみの程度を把握することができる。
【００３０】
測定点の「変位方向」とは、水平位皮膚表面画像の測定点を始点とし、垂直位皮膚表面画像の測定点を終点とする線の向きをさし、上述の方法で得た水平位皮膚表面画像と垂直位皮膚表面画像を、基準点等を目安に重ね合わせ、水平位皮膚表面画像の測定点を始点とし、垂直位皮膚表面画像の測定点を終点とした際の、始点から終点に向かう矢印が、どの方向を指しているかを意味する。
例えば、測定点を人の頬とした場合に、当該矢印が顔の中心線方向であるか（内向き）、顔の中心線方向とは逆向きであるか（外向き）であるかを意味する（図２参照）。
【００３１】
「変位角」とは、水平位の皮膚表面像と垂直位の皮膚表面像の各測定点を結ぶ線と水平線のなす角度をさし、上述の方法で得た水平位皮膚表面画像と垂直位皮膚表面画像を、基準点等を目安に重ね合わせ、水平位皮膚表面画像の測定点を始点とし、垂直位皮膚表面画像の測定点を終点とした際の、始点から終点に向かう矢印を動径とし、終点を通る水平線（地球の重力の方向と垂直に交わる線）をＸ軸とした時にできる正の角度（＝図中θ１）を意味する（図３参照）。
変位角により、皮膚のたるみの方向を把握することができる。
変位角は、得られた値をそのまま評価しても良いし、向きとその程度を簡便に把握するため、得られた値から９０°を差し引いた値を変位角評価値としても良い（数１）。尚、変位角とたるみの向きとの関係は、測定点の場所（頬の場合であれば、左頬か、右頬か）や、撮影画像が鏡像か正像かによって異なるので、実態に合わせて適宜調整して把握する必要がある。図３では、左頬に測定点を設け、鏡像を得て分析した場合である。
【００３２】
【数１】
2020157013.tif 000003
【００３３】
「方位角」とは、物体の絶対最大長となる線と水平線とがなす角度を意味する。具体的には、囲み部をすべて実線で表したと想定した際の当該囲み部の最大長となる点を結んだ線と、水平線とのなす負の角度（＝図中θ２）を意味する（図４参照）。方位角により、皮膚のゆがみを把握することができる。
【００３４】
「方位角の変化量」とは、「垂直位皮膚表面画像から得た方位角」より「水平位皮膚表面画像から得た方位角」を差し引いた値を、水平位皮膚表面画像から得た方位角で割った値である。  
方位角の変化量に１００をかけて、変化率として把握することもできる。
【００３５】
【数２】
2020157013.tif 000004
【００３６】
【数３】
2020157013.tif 000005
【００３７】
「長短比」とは、囲み部をすべて実線で表したと想定した際の当該囲み部の長軸長さを分母とし、短軸長さを分子とした値である。
「長短比の変化量」とは、「垂直位表面画像から得た長短比」より「水平位表面画像から得た長短比」を差し引いた値を「水平位表面画像から得た長短比」で割った値である。
長短比の変化量に１００をかけて、変化率として把握することもできる。
【００３８】
【数４】
2020157013.tif 000006
【００３９】
【数５】
2020157013.tif 000007
【００４０】
「面積」とは、囲み部をすべて実線で表したと想定した際の当該囲み部の面積である。
「面積変化量」とは「垂直位皮膚表面画像から得た面積値」より「水平位皮膚表面画像から得た面積値」を差し引いた値を「水平位皮膚表面画像から得た面積値」で割った値である。
面積変化量に１００をかけて、変化率として把握することもできる。
囲み部は、皮膚の変化に伴って変形するように設けられるので、例えばボトルキャップ等を使用してマーキングした場合であっても、皮膚が重力により下方に引っ張られると、囲み部も下方に引っ張られ、結果として、囲み部の面積はマーキング当初の面積より異なって把握される。
【００４１】
【数６】
2020157013.tif 000008
【００４２】
【数７】
2020157013.tif 000009
【実施例】
【００４３】
以下、具体的な皮膚のたるみ量の測定方法、分析方法を具体的に説明するが、本発明はこれらの実施例に限定されるものではないことは言うまでもない。
【００４４】
顔面皮膚のたるみ量測定の被験者として、２０歳代から５０歳代の健常女性４０名を対象にして測定した。被験者の各年齢群の人数を表１に示した。
【００４５】
【表１】
2020157013.tif 000010
【００４６】
＜水平位皮膚表面画像と垂直位皮膚表面画像の入手＞
被験者を座位かつ、前方を見つめさせた状態で、被験者の左半顔の目尻から垂直下方向、口角から水平外側方向の交点に青色の小円形シール（直径５ｍｍ）を貼り付けた。次に、外径２７ｍｍ（内径２５ｍｍ）のボトルキャップの円形部にアイライナーを塗布し、先に頬部に貼り付けた小円形シール（＝測定点）を中心として、皮膚上にスタンプし、円形マークをつけ「囲み部」とした。さらに、小円形シールを眉間中心部、鼻の最高部、顎中心部、眉山、目尻にも貼り付け、これらを基準点とした。また、スケールとして、キャスマッチ（画像補正用カラーチャート  株式会社  ベアーメディック）を一辺がほぼ水平となるように額中央部に貼りつけた。
【００４７】
＜被測定部位の撮影＞
上述の方法で測定点、囲み部、基準点及びスケールを付した被験者を寝台に仰臥位にさせた状態にする。仰臥した被験者の顔正面に画像撮影用カメラを設置し、水平位の写真を撮影した（鏡像）。撮影には予めオーバーレイアプリケーション（Ｏｖｅｒｌａｙ  Ｃａｍｅｒａ：ｄｄｑｕｉｃｋ提供）をインストールしたスマートフォンを使用した。得られた画像を水平位皮膚表面画像とした。
次に、被験者の体勢を座位に変え、被験者の顔正面に画像撮影用カメラを設置し、スマートフォン画面上に先に撮影した水平位皮膚表面画像を呼び出した状態で、基準点を重ねるように撮影した（鏡像）。これを垂直位皮膚表面画像とした。なお、この際、複数回撮影すると、解析結果の精度が向上する。
【００４８】
＜たるみ量の測定＞
（１）まず、垂直位皮膚表面画像と水平位皮膚表面画像が重なり合っている画像を開き、この画像上の垂直位、水平位の各測定点を結ぶ１本線と、垂直位皮膚表面画像の測定点を通る水平線を引いて、保存した。
（１−２）「測定点の変位距離」は、画像処理ソフト（ＷｉｎＲＯＯＦ：三谷商事、以下同じ。）上で、（１）で保存した画像を呼び出し、同画面上にあるスケールのいずれかの１辺を長さ１ｃｍとキャリブレーション設定した後、垂直位、水平位の各測定点を結ぶ１本線の長さを算出した。
（１−３）「変位角」は、画像処理ソフト上で、（１）で保存した画像を呼び出し、垂直位、水平位の各測定点を結ぶ１本線と垂直位皮膚表面画像の測定点を通る水平線をドラッグし、この２本線がつくる角度を算出した。
（２）次に、垂直位皮膚表面画像と水平位皮膚表面画像が重なり合っている画像を紙面印刷した。出力した画像上の垂直位、水平位の各囲み部と同画面上にあるスケールのいずれかの１辺をトレーシングペーパーに重なり合わないように、ペンでトレースし、画像保存した。画像処理ソフト上で、先に保存した画像を呼び出し、画面上にあるスケールの１辺を長さ１ｃｍとキャリブレーション設定した。
（２−１）「方位角」は、適切なしきい値を設定した２値化処理を施して、囲み部を範囲指定した。次に、形状特徴の項目中の方位角を選択し、算出した。
（２−２）「長短比」は、適切なしきい値を設定した２値化処理を施して、囲み部を範囲指定した。次に、形状特徴の項目中の楕円長短比を選択し、算出した。
（２−３）「面積」は、適当なしきい値で設定した２値化処理を施して、囲み部を範囲指定した。次に、形状特徴の項目中の面積を選択し、算出した。
【００４９】
＜他因子とたるみ量との関係＞
顔面皮膚のたるみ量測定に加え、測定点における角層水分量、皮膚弾力性、真皮中コラーゲン密度、角層細胞の面積と全身の皮下脂肪率を測定した。  尚、皮膚の物性は以下の内容に限られず、他の物性値を用いることができることは言うまでもない。
<測定条件>
（１） 馴化時間
被験者は、クレンジング剤、洗顔料を用いて洗顔した後、測定室と同じ環境下で１５分間以上馴化させた後、測定に臨んだ。
（２） 測定室環境条件
測定室の環境は、温度２２℃、湿度５０％とした。
＜測定項目＞
（１）角層水分量
角層水分量は、ＳＫＩＣＯＮ−２００ＥＸ（ヤヨイ社製）を用いて測定した。水平位での測定点の水分量を5回測定し、平均値を角層水分量とした。
（２）皮膚弾力性
皮膚弾力性はキュートメーター（ｃｏｕｒａｇｅ  ａｎｄ  Ｋｈａｚａｋａ社製、ＭＰＡ５８０）を用いて測定した。測定条件は、プローブ測定開口部２ｍｍ、陰圧３００ｍｂａｒ、陰圧時間及び陰圧開放時間は各５秒とした。結果は弾力性（＝Ｒ７）（陰圧開放後０．１秒後の戻り距離を陰圧５秒後の最大伸展距離で割った値、つまり最大伸長に対する皮膚の瞬間的な戻り率）を用いた。水平位での測定点の皮膚弾力性を４回測定し、その平均値を皮膚弾力性値とした。
（３）真皮中コラーゲン密度
真皮中コラーゲン密度は、超音波真皮画像装置ＤｅｒｍａＬａｂ（Ｃｏｒｔｅｘ  Ｔｅｃｈｎｏｌｏｇｙ社製）を用いて測定した。
Ｇａｉｎ（感度）を７とし、水平位での測定点を５回測定し、Ｉｎｔ．パラメーターの平均値を真皮中コラーゲン密度値とした。
（４）全身皮下脂肪率
全身皮下脂肪率は、体重体組成計Ｋａｒａｄａ  Ｓｃａｎ（オムロン社製、ＨＢＦ−３７５）を用いて測定した。
素足で測定機器にのり、１回測定を行い、その値を全身皮下脂肪率とした。
（５）角層細胞の面積
角層チェッカー（プラスチックプレートタイプ  プロモツール社製）を用いて、水平位での測定点の角層細胞を採取した。テープの角層粘着部をエタノールに１０分間浸漬後、１０―３０分間風乾し、角層染色液（ナフトールブルーブラック ０．１ｇ、酢酸ナトリウム０．８２ｇ、酢酸  ９ｇ、蒸留水  残部）に３０分間浸漬した。１０分間流水にて洗浄後一晩風乾した。撮影機能付き顕微鏡（ＢＺ−Ｘ７００，ＫＥＹＥＮＣＥ, ２０倍）にて上記処理後の角層画像を取得し、プリントアウトした画像上の細胞の輪郭をトレーシングペーパーにトレースし、スキャナー（Ｄｏｃｕｃｅｎｔｅｒ−Ｖ  Ｃ４４７６，富士ゼロックス）で取り込んだ。画像解析ソフト  上で細胞の輪郭を抽出後輪郭内の面積を計測した。
＜解析＞
各パラメーター間の解析は、ピアソンの相関分析を行った後、有意差については、Ｔｕｋｅｙ−Ｋｒａｍｅｒ法にて多重比較検定した。
【００５０】
図５は、変位距離と年齢との散布図である。
二姿勢による測定点の変位距離は、年齢との間に強い相関性（Ｒ＝０．６５  ｐ＜０．０１）が確認された。これより、年齢が高くなるにつれ、測定点の変位距離が長くなり、測定点のたるみ量は大きくなることが明確となった。
【００５１】
図６は、測定点の変位距離と全身皮下脂肪率との散布図である。変位距離と全身皮下脂肪率との間に弱い相関性（Ｒ＝０．２４  ｐ＜０．０１）が確認された。全身皮下脂肪率が高いほど、測定点のたるみ量は大きくなることが明確となった。
【００５２】
変位角とその他パラメーターとの関係
測定点の変位前後位置を結ぶ線と変位後の点を通る水平線とがなす変位角が９０°より増加する現象は、この回の実験では、仰臥位から座位に体勢を変化させる際に、測定点が顔の中心線に向かって移動していることを示す。逆に９０°より減少する現象は、仰臥位から座位に体勢を変化させる際に、測定点が顔の中心線から外側方向へ移動することを示す。さらに、この変位角は、測定点の角層水分量と負の相関性（Ｒ＝−０．２６  ｐ＜０．０１）、測定点の肌の弾力性を示すパラメーターＲ７と負の相関性（Ｒ＝−０．４６ｐ＜０．０１）が確認された（図７、８）。さらには、年齢とは正の相関性が確認された。（Ｒ＝０．２５  ｐ＜０．０１）。これより、測定点の変位前後位置を結ぶ線と変位後の点を通る水平線とがなす変位角の増加と共に、測定点の肌の水分量や弾力性が減少し、年齢が増加することが明確となった。
【００５３】
方位角とその他パラメーターとの関係
方位角（囲み部の絶対最大長ラインと水平ラインとがなす角度）の２姿勢における変化率は、年齢と正の相関性を示した（Ｒ＝０．４３  ｐ＜０．０１）（図９）。方位角の増加は、仰臥位から座位に姿勢を変えると、囲み部の最大長ラインの角度が斜めから垂直よりに変化していることを表しており、囲み部を施した範囲内でも、より顎先に近い位置が遠い位置よりもより姿勢変化による位置変化が大きいことに起因している。さらに、その動向が年齢増加と共に顕著になることが明確となった。一方、方位角の２姿勢における変化率は、測定点の角層水分量および、コラーゲン密度とも負の相関性（Ｒ＝−０．２７  ｐ＜０．０１、Ｒ＝−０．２５  ｐ＜０．０１）を示していることが明らかとなった。（図１０、１１）よって、姿勢を変化させることにより生ずる方位角の変化率は、年齢および、真皮や角層の性状に影響を受けていることが推測できる。
【００５４】
囲み部の形状変化（長短比、面積）とその他パラメーターとの関係
長短比変化率は全身皮下脂肪率との間に負の相関性（Ｒ＝−０．３１  、ｐ＜０．０１）、コラーゲン密度、角層細胞面積とは正の相関性（Ｒ＝０．３６  、ｐ＜０．０１、Ｒ＝０．３６  、ｐ＜０．０１）が認められた。
長短比変化率の減少は、囲み部が正円形状から楕円形状方向に変化することを表しており、姿勢を変えることに伴い、囲み部の垂直方向だけでなく、後頭部方向への変位が大きいことが起因して生じるゆがみの増加を表している。
全身皮下脂肪率が増加し、測定点のコラーゲン密度、角層細胞面積が減少すると共に、姿勢を変えることにより生じる囲み部の長短比変化率が減少することが明らかとなり、つまり、たるみからくるゆがみが増加していると推測できる。一方で、この長短比変化率は、年齢との関係性は確認できなかった（図１２〜１５）。
一方、面積変化率は、全身皮下脂肪率との間に負の相関性（Ｒ＝−０．２１  、ｐ＜０．０１）があり、他のパラメーターとの関係性も長短比変化率と類似していることが明らかとなった。（図１６）これより、姿勢を変化させることにより生ずる長短比変化率及び、面積変化率は、年齢とは関係なく、身体や皮膚の性状に影響を受けていることが推測できる。
【００５５】
これらの結果から、予め本願の方法を用いて得たたるみ量と、各種皮膚物性との関係を把握すれば、被験者のたるみ量から、当該被験者のたるみの原因を判定することが可能になると言える。
【００５６】
以上より、本願発明の方法を用いれば、簡便な方法でたるみ量を測定することができ、そのたるみの原因も推測、判定することができるので、たるみの改善にむけたより良い提案が可能となる。
【図１】
2020157013.tif 000011
【図２】
2020157013.tif 000012
【図３】
2020157013.tif 000013
【図４】
2020157013.tif 000014
【図５】
2020157013.tif 000015
【図６】
2020157013.tif 000016
【図７】
2020157013.tif 000017
【図８】
2020157013.tif 000018
【図９】
2020157013.tif 000019
【図１０】
2020157013.tif 000020
【図１１】
2020157013.tif 000021
【図１２】
2020157013.tif 000022
【図１３】
2020157013.tif 000023
【図１４】
2020157013.tif 000024
【図１５】
2020157013.tif 000025
【図１６】
2020157013.tif 000026